(57)【要約】【課題】筐体部カバーの構成を簡素化すると共にメンテナンス作業を容易に行うことが可能な画像読取装置を提供すること。【解決手段】原稿画像を読み取るスキャナー３と、スキャナー３を構成する部品が収容される筐体部３００と、筐体部３００の上部に取り付けられ、プラテンガラス３１が結合された筐体部カバー３０１と、原稿載置面をカバーする位置と、開放する位置との間で、ヒンジ部２０２，２０３周りに開閉移動可能なプラテンカバー２０と、を備え、筐体部カバー３０１は、プラテンガラス３１が取り付けられる第１領域と、第１領域の周囲であって、ヒンジ部２０２，２０３の周囲を除く第２領域とにより筐体部３００を上方からカバーし、かつ、プラテンカバー２０をヒンジ部２０２，２０３に装着したまま、筐体部カバー３０１が取り外せるように、筐体部カバー３０１のネジ３０４の取り付け位置が設定されている。【選択図】図２
2012244409.tif 000002
【特許請求の範囲】
【請求項１】
原稿載置面に載置された原稿画像を読み取るためのスキャナーと、
前記スキャナーを構成する部品が収容される筐体部と、
前記筐体部の上部に取り付けられ、前記原稿載置面を形成するプラテンガラスが結合された筐体部カバーと、
前記原稿載置面をカバーする位置と、開放する位置との間で、ヒンジ部周りに開閉移動可能なプラテンカバーと、を備えた画像読取装置であって、
前記筐体部カバーは、前記プラテンガラスが取り付けられる第１領域と、前記第１領域の周囲であって、前記ヒンジ部の周囲を除く第２領域とにより前記筐体部を上方からカバーし、かつ、前記プラテンカバーを前記ヒンジ部に装着したまま、前記筐体部カバーが取り外せるように、前記筐体部カバーの取り付け位置が設定されていることを特徴とする画像読取装置。
【請求項２】
前記プラテンカバーを最も開いた状態に設定したとき、平面視で前記プラテンカバーと重ならない位置に前記取り付け位置が設定されていることを特徴とする請求項１に記載の画像読取装置。
【請求項３】
前記筐体部カバーには、前記プラテンガラスに隣接して、前記プラテンカバーに支持される原稿搬送部により搬送される原稿を読み取るための縦長ガラスが取り付けられることを特徴とする請求項１又は２に記載の画像読取装置。
【請求項４】
１つの前記筐体部と、１つの前記筐体部カバーにより、前記スキャナーを構成する部品を収容するための構造体が構成されることを特徴とする請求項１〜３のいずれか１項に記載の画像読取装置。
【発明の詳細な説明】
【技術分野】
【０００１】
本発明は、原稿載置面に載置された原稿画像を読み取るためのスキャナーと、スキャナーを構成する部品が収容される筐体部と、筐体部の上部に取り付けられ、原稿載置面を形成するプラテンガラスが結合された筐体部カバーと、原稿載置面をカバーする位置と、開放する位置との間で、ヒンジ部周りに開閉移動可能なプラテンカバーと、を備えた画像読取装置に関するものである。
【背景技術】
【０００２】
かかる画像読取装置では、原稿載置面に載置された原稿画像を読み取るスキャナーが設けられており、スキャナーを構成する種々の部品が筐体部に収容されている。これらの部品のうち、例えば、読み取り用の光源については、適宜のタイミングで交換する必要があり、メンテナンス作業を行わなければならない。かかるメンテナンス作業を考慮した先行技術として、下記特許文献に開示される画像読取装置が知られている。
【０００３】
この画像読取装置は、ランプ（読み取り用光源に相当）をメンテナンス時に取り換えるために、天カバー（筐体部カバーに相当）に作業孔を形成し、この作業孔を着脱自在な蓋体で覆っている。
【先行技術文献】
【特許文献】
【０００４】
【特許文献１】特開平５−５３２０７号公報（請求項１、図１）
【発明の概要】
【発明が解決しようとする課題】
【０００５】
上記先行技術においては、プラテンカバーを装着したままスキャナーのメンテナンスを行うことができるが、作業孔に着脱自在な蓋体を構成する必要があり、部品点数が増加するという問題が生じる。また、作業孔をなくす場合は、筐体部カバー全体を外す必要があるが、プラテンカバーが邪魔になるため、プラテンカバーを先に外してからでなければ、筐体部カバーを外せない構成になっていた。
【０００６】
本発明は上記実情に鑑みてなされたものであり、その課題は、筐体部カバーの構成を簡素化すると共にメンテナンス作業を容易に行うことが可能な画像読取装置を提供することである。
【課題を解決するための手段】
【０００７】
上記課題を解決するため本発明に係る画像読取装置は、
原稿載置面に載置された原稿画像を読み取るためのスキャナーと、前記スキャナーを構成する部品が収容される筐体部と、前記筐体部の上部に取り付けられ、前記原稿載置面を形成するプラテンガラスが結合された筐体部カバーと、前記原稿載置面をカバーする位置と、開放する位置との間で、ヒンジ部周りに開閉移動可能なプラテンカバーと、を備えた画像読取装置であって、
前記筐体部カバーは、前記プラテンガラスが取り付けられる第１領域と、第１領域の周囲であって、前記ヒンジ部の周囲を除く第２領域とにより前記筐体部を上方からカバーし、かつ、前記プラテンカバーを前記ヒンジ部に装着したまま、前記筐体部カバーが取り外せるように、前記筐体部カバーの取り付け位置が設定されていることを特徴とするものである。
【０００８】
かかる構成による画像読取装置の作用・効果を説明する。この画像読取装置は、スキャナーを構成する部品が収容された筐体部の上に、筐体部カバーが取り付けられる。筐体部カバーには、原稿載置面を形成するプラテンガラスが結合される。筐体部カバーは、少なくとも、第１領域と第２領域を有しており、第１領域ではプラテンガラスが取り付けられ、第２領域ではヒンジ部を除く領域をカバーする。これにより、ヒンジ部に干渉しないように、筐体部カバーを取り外すことが可能になる。また、筐体部カバーを取り外すときには、ネジ等の結合手段を解除する必要がある。本発明では、プラテンカバーを装着したまま筐体部カバーを取り外せるように、取り付け位置が設定されている。従って、メンテナンスの時は、プラテンカバーを装着したまま、筐体部カバーを取り外せばよい。また、先行技術のように作業孔の構成を採用する必要もない。その結果、筐体部カバーの構成を簡素化すると共にメンテナンス作業を容易に行うことが可能な画像読取装置を提供することができる。
【０００９】
本発明において、前記プラテンカバーを最も開いた状態に設定したとき、平面視で前記プラテンカバーと重ならない位置に前記取り付け位置が設定されていることが好ましい。
【００１０】
かかる構成により、プラテンカバーを開いた位置に設定し、真上から取り付けの解除を行う操作（例えば、ドライバーによるネジを回転させる操作）を行うことができる。これにより、プラテンカバーを装着したままの筐体部カバーの取り外しを行うことができる。
【００１１】
本発明において、前記筐体部カバーには、前記プラテンガラスに隣接して、前記プラテンカバーに支持される原稿搬送部により搬送される原稿を読み取るための縦長ガラスが取り付けられることが好ましい。
【００１２】
筐体部カバーにプラテンガラスに隣接して縦長ガラスが取り付けられる場合であっても、縦長ガラスの部分に作業穴を設ける必要はない。すなわち、プラテンカバーを装着したまま筐体部カバー全体を取り外せるので、部品点数を増加させることなく、スキャナー部品のメンテナンスを行うことができる。
【００１３】
本発明において、１つの前記筐体部と、１つの前記筐体部カバーにより、前記スキャナーを構成する部品を収容するための構造体が構成されることが好ましい。
【００１４】
かかる構成により、構造体を構成する部品数を低減し、組立性やメンテナンス作業を効率よく行うことができる。
【図面の簡単な説明】
【００１５】
【図１】本実施形態に係る画像読取装置を備えたデジタル複合機の内部構成を示した概略断面図
【図２】本実施形態にかかる画像読取装置の平面図
【図３】本実施形態にかかる画像読取装置の側面図
【図４】画像読取装置を構成する筐体部の構成を示す分解斜視図
【図５】筐体部カバーを外すときの様子を示す図
【発明を実施するための形態】
【００１６】
本発明に係る画像読取装置の好適な実施形態を図面を用いて説明する。図１は、本発明の一実施形態に係る画像読取装置１を備えたデジタル複合機の内部構成を示した概略断面図である。この画像読取装置１は、ＡＤＦ（原稿供給装置）２と、ＡＤＦ２を有するプラテンカバー２０と、スキャナー３とを備えている。また、デジタル複合機は、上記画像読取装置１のほか、画像形成部４及び給紙部５を備えている。
【００１７】
＜画像読取装置の構成＞
ＡＤＦ２は、原稿トレイ２９を備えており、当該原稿トレイ２９上に原稿を１枚または複数枚載置できるようになっている。ＡＤＦ２は、ピックアップローラ２１及び分離手段（リタードローラ又は分離パッドの対）２２により、原稿トレイ２９上に置かれた原稿を１枚ずつ送り出す。ＡＤＦ２により送り出された原稿は、複数の搬送ローラ２３，２４，２５により搬送路２６を搬送され、当該搬送路２６の途中で画像が読み取られた後、排出ローラ２７により原稿排出トレイ２８上に順次排出される。
【００１８】
スキャナー３（フラットベッドスキャナー）は、原稿の画像を読み取るための走査部３０を備えている。ＡＤＦ２により原稿読取部３に供給される原稿を読み取る際には、走査部３０が、搬送路２６の途中に位置する読取ポイント２６Ａにおいて静止した状態で原稿の画像を読み取る。この画像読取装置１では、スキャナー３の上方に設けられたプラテンガラス（原稿載置面）３１上に原稿を載置することにより、走査部３０を移動読取領域３Ａで移動させながら原稿の画像を読み取ることもできる。なお、原稿の読取面は、原稿トレイ２９上で上側の面、又は、プラテンガラス３１上で下側の面を向くように載置する。
【００１９】
画像形成部４は、感光体ドラム４０、帯電器４１、光書込みユニット４２、現像器４３、転写器４４及び定着器４５を備え、電子写真方式により記録紙１００に画像を形成する。感光体ドラム４０の表面には感光体が形成されており、画像形成時には、回転駆動される感光体ドラム４０の表面が帯電器４１により一様に帯電される。光書込みユニット４２は、走査部３０で読み取った原稿の画像情報などに基づいて、ＬＥＤ又はレーザ光源から光を出力する。帯電器４１により一様に帯電された感光体ドラム４０の表面には、光書込みユニット４２から出力される光で露光されることにより、静電潜像が形成される。
【００２０】
静電潜像が形成された感光体ドラム４０の表面には、現像器４３から供給されるトナーが付着することによりトナー像が形成され、このトナー像が転写器４４を用いて記録紙１００に転写される。トナー像が転写された記録紙１００は、定着器４５により加熱処理及び加圧処理が施された後、排出ローラ４６から排出トレイ４７上に排出される。
【００２１】
給紙部５は、記録紙１００を収容するための記録紙カセット５０を備えており、この記録紙カセット５０内に設けられた支持板５１上に、記録紙１００を積層した状態で収容することができるようになっている。支持板５１は、その一端部に設けられた支軸５２を中心に回転可能となっており、支軸５２側とは反対側の端部が圧縮ばね５３によって上方へ付勢されることにより、最上部の記録紙１００が給紙ローラ５４に対して押圧される。この状態で給紙ローラ５４が回転駆動されることにより、記録紙カセット５０内に収容されている記録紙１００が、給紙ローラ５４と分離パッド（図示せず）によりそれぞれ分離されて搬送路５５に１枚ずつ送り出される。
【００２２】
搬送路５５には、１つ又は複数の搬送ローラ５６が設けられている。記録紙カセット５０から１枚ずつ送り出される記録紙１００は、搬送ローラ５６により搬送路５５内を搬送され、画像形成部４へと送られる。そして、レジストローラ５７により記録紙１００は感光体ドラム４０の直前で一旦停止され、感光体ドラム４０に形成されるトナー像を転写させるタイミングに合わせて送り出される。
【００２３】
上記のようなスキャナー３、画像形成部４及び給紙部５は、筺体内に収容されており、当該筺体の上面に上記プラテンガラス３１が形成されている。プラテンカバー２０は、筺体の上面に対して上下に開閉可能に取り付けられている。したがって、プラテンガラス３１上に置かれた原稿を走査部３０で読み取る場合には、プラテンカバー２０を閉じることにより、当該プラテンカバー２０とプラテンガラス３１との間に原稿を挟むことができるようになっている。
【００２４】
＜画像読取装置の構成＞
次に、画像読取装置１の構成を説明する。図２は、画像読取装置１の平面図（上から見た図）である。図３は、画像読取装置１の側面図である。図４は、画像読取装置１を構成する筐体部の構成を示す分解斜視図である。図５は、筐体部カバーを外すときの様子を示す図である。
【００２５】
図４は、スキャナー３を構成する種々の部品を収容するための筐体部３００と、この筐体部３００を上方からカバーするための筐体部カバー３０１を示している。これら１つの筐体部３００と、１つの筐体部カバー３０１により、スキャナー３を構成する種々の部品を収容する構造体が構成される。これにより、構造体を構成する部品構成が簡素化されて、組立性やメンテナンス作業を効率よく行うことができる。
【００２６】
走査部３０は、駆動装置３３により左右方向（副走査方向）に移動可能に駆動される。走査部３０は、ベルト３４に連結されており、ベルト３４を駆動することで、駆動装置３３により駆動される。走査部３０は、読み取り用の光源（ランプ）や読取素子（ＣＣＤ）を備えている。筐体部３００には、これらスキャナー３を構成する種々の部品が取り付けられている。
【００２７】
筐体部３００の上方には筐体部カバー３０１がネジにより結合される。筐体部カバー３０１の上には、原稿載置面として機能するプラテンガラス３１と、このプラテンガラス３１に隣接して縦長ガラス３２が取り付けられる。プラテンガラス３１に載置した原稿を読み取るときは、プラテンカバー２０を閉じて、プラテンカバー２０の裏面に設けられた押さえカバー２００により原稿を押えた状態で読み取る。これらプラテンガラス３１と縦長ガラス３２は、筐体部カバー３０１に対して適宜の方法により固定されている。
【００２８】
押さえカバー２００に隣接して前述の読み取りポイント２６Ａに対応する位置に縦長のスリット２０１が形成されている。プラテンカバー２０を閉じたときに、このスリット２０１と筐体部カバー３０１の縦長ガラス３２が向かい合う位置関係にある。
【００２９】
図２にも示すように、筐体部カバー３０１はネジにより筐体部３００に結合される。筐体部カバー３０１は、筐体部３００の上面をほぼ全域カバーしているが、プラテンカバー２０のヒンジ部２０２，２０３の領域には、切り欠き部３０２，３０３が形成される。筐体部カバー３０１のうち、プラテンガラス３１が取り付けられる領域を第１領域と定義し、この第１領域の周囲を第２領域と定義する。
【００３０】
図２において左側の切り欠き部３０２の左側手前がネジ３０４で結合される。右側の切り欠き部３０３の左右両側２箇所がネジ３０４で結合される。その他、手前側の３箇所がネジ３０４で結合される。
【００３１】
図２は、プラテンカバー２０を最も開いた状態であり、図３にも示すように９０゜開いた状態である。図２に示すように、プラテンカバー２０を最も開いた状態で、すべてのネジ３０４が上方から視認できる位置にネジ３０４の位置（取り付け位置）が設定されている。また、筐体部カバー３０１は、プラテンカバー２０を開いた状態でも、プラテンカバー２０の下に入り込んでいる部分３０１ａ，３０１ｂ，３０１ｃがある。
【００３２】
＜メンテナンス作業＞
スキャナー３は、原稿画像を読み取るための読み取り用光源を備えており、光源は経時変化により劣化していくため、いずれ交換する必要がある。光源以外の部品の交換やメンテナンスの場合も同様である。そのときは、筐体部３００から筐体部カバー３０１を外す必要がある。ただし、本発明の場合、プラテンカバー２０を装着したまま筐体部カバー３０１を外すことができる。
【００３３】
すなわち、図２、図３に示すように、プラテンカバー２０を９０゜開いた状態にする。このとき、図２にも示すように、平面視でネジ３０４の頭がすべて見える状態になっている。従って、プラテンカバー２０を垂直に開いた状態のまま、ドライバでネジ３０４を緩める作業を支障なくすることができる。また、筐体部カバー３０１の部分３０１ａ，３０１ｂ，３０１ｃは、プラテンカバー２０の下に入り込んでいるが、ネジ３０４を外した後、筐体部カバー３０１を手前側に引くことで、容易に外すことができる。
【００３４】
以上のように、プラテンカバー２０を装着したまま、筐体部カバー３０１全体を外すことができる。従って、筐体部カバー２０に、縦長ガラス３２の部分のみを取り外すための部品は不要であり、部品コストを抑制することができる。
【００３５】
＜別実施形態＞
本実施形態では、ＡＤＦ２を搭載したプラテンカバー２０について説明しているが、ＡＤＦ２を搭載していないプラテンカバー２０の場合にも、本発明は応用することができる。
【００３６】
本実施形態では、ヒンジ部２０２，２０３を回避するために、筐体部カバー３０１に２箇所の小さな切り欠き部３０２，３０３を形成したが、切欠形状については適宜変更可能である。例えば、ヒンジ部２０２，２０３の周辺を大きく矩形状に逃げた形状としてもよい。
【００３７】
ネジ３０４の位置については、本実施形態の位置以外にも種々の変形例が可能である。また、ネジ以外の取り付け方法、例えば、スナップ結合や、はめ込み結合などを部分的に採用してもよい。
【符号の説明】
【００３８】
１        画像読取装置
２        ＡＤＦ
３        スキャナー
２０      プラテンカバー
３１      プラテンガラス
３２      縦長ガラス
２０２，２０３      ヒンジ部
３００    筐体部
３０１    筐体部カバー
３０１ａ，３０１ｂ，３０１ｃ    部分
３０２，３０３      切り欠き部
３０４    ネジ
【図１】
2012244409.tif 000003
【図２】
2012244409.tif 000004
【図３】
2012244409.tif 000005
【図４】
2012244409.tif 000006
【図５】
2012244409.tif 000007